(57)【特許請求の範囲】
【請求項１】
電離箱を収容する主空間、前記主空間の下側に位置する下部空間、及び、前記下部空間に隣接する隣接空間、を有する筐体と、
前記主空間内に設けられ、放射性試料収容室を取り囲む形態を有する電離箱と、
前記下部空間内に設けられ、前記電離箱からの電荷信号を処理する回路を搭載した第１基板と、
前記隣接空間内に設けられ、前記第１基板に電気的に接続された第２基板と、
を含み、
前記筐体は前記下部空間と前記隣接空間とを仕切る隔壁を有し、
前記下部空間が気密空間として構成された、
ことを特徴とする放射線測定装置。
【請求項２】
請求項１記載の装置において、
前記下部空間は、第１水平方向及び第２水平方向に広がった空間であり、その中に前記第１基板が水平姿勢で配置され、
前記隣接空間は、前記第１水平方向及び垂直方向に広がった空間であり、その中に前記第２基板が垂直姿勢で配置された、
ことを特徴とする放射線測定装置。
【請求項３】
請求項２記載の装置において、
前記第１水平方向は前後方向であり、前記第２水平方向は左右方向であり、
前記筐体はそれ全体として起立した円柱状の形態を有し、
前記筐体はその下部かつ奥側に箱状の肥大部分を有し、
前記肥大部分の中に前記隣接空間が設けられている、
ことを特徴とする放射線測定装置。
【請求項４】
請求項３記載の装置において、
前記筐体は、
前記下部空間の底面を塞ぐ取り外し可能な底面板と、
前記隣接空間の背面を塞ぐ取り外し可能な背面板と、
を有することを特徴とする放射線測定装置。
【請求項５】
請求項１記載の装置において、
前記第１基板と前記第２基板との間には複数の信号線が設けられ、
前記隔壁には前記下部空間の気密性を維持しつつ前記複数の信号線を挿通するシール構造が設けられた、
ことを特徴とする放射線測定装置。
【請求項６】
請求項５記載の装置において、
前記シール構造は、前記隣接空間側に開いたネジ穴と、前記ネジ穴の中に配置される環状のシール部材と、前記ネジ穴に螺合するネジと、を有し、
前記ネジの前進状態で前記シール部材がその中を通過している前記複数の信号線を締め付けるように潰れた状態となる、
ことを特徴とする放射線測定装置。
【発明の詳細な説明】
【技術分野】
【０００１】
本発明は、放射線測定装置に関し、特に、放射性サンプルについての放射能を測定する装置に関する。
【背景技術】
【０００２】
サンプルの放射能（あるいは放射能量）等を測定する電離箱型の放射線測定装置として、キュリーメータ、キャリブレータ等の装置が知られている（特許文献１参照）。そのような装置は、例えば、電離箱を有する検出ユニットと、演算部や制御部を備える本体ユニットと、により構成される。検出ユニットの内部には、１又は複数の基板が設けられる。検出ユニットは本体ユニットに対して有線方式又は無線方式で接続される。検出器と本体とが単一のユニットを構成することもある。
【０００３】
電離箱を内蔵した検出ユニットにおいては、一般に、電離箱の直下に、高電圧が印加される金属部品（端子、配線等）や微弱信号を処理する回路が存在する。よって、そこに外部から不用意に湿気が入り込まないようにすることが望まれ、あるいは、そこでの結露発生を防止することが望まれる。このため、電離箱の下部空間が気密空間とされる。
【先行技術文献】
【特許文献】
【０００４】
【特許文献１】特表２００５−５１２０６４号公報
【発明の概要】
【発明が解決しようとする課題】
【０００５】
検出ユニットの設置場所の都合等から、電離箱ユニットの全高を抑制することが要請される。このため電離箱直下の下部空間の高さをあまり大きくできず、また、気密性の維持の観点からも、下部空間を比較的小さな空間とするのが望ましい。
【０００６】
検出ユニットの高機能化に伴い、検出ユニットに設けられる回路の個数数やその規模が増大化している。それにもかかわらず、上記のように、下部空間の高さや容積に制限があることから、そこに複数の基板あるいは多数の基板を配置することが困難であるという問題が生じている。仮に下部空間内に全基板を配置することが物理的に可能であっても、複数の基板が過度に密集していると、個々の回路の調整作業が困難になるという別の問題も指摘されている。
【０００７】
本発明の目的は、電離箱の下側に設けられる空間の気密性を確保しつつ、電離箱の下側及びその下側周辺に必要な基板配置スペースを確保することにある。あるいは、複数の基板の配置後において個々の基板へのアクセスが容易な基板配列を実現することにある。
【課題を解決するための手段】
【０００８】
本発明に係る放射線測定装置は、電離箱を収容する主空間、前記主空間の下側に位置する下部空間、及び、前記下部空間に隣接する隣接空間、を有する筐体と、前記主空間内に設けられ、放射性試料収容室を取り囲む形態を有する電離箱と、前記下部空間内に設けられ、前記電離箱からの電荷信号を処理する回路を搭載した第１基板と、前記隣接空間内に設けられ、前記第１基板に電気的に接続された第２基板と、を含み、前記筐体は前記下部空間と前記隣接空間とを仕切る隔壁を有し、前記下部空間が気密空間として構成された、  ことを特徴とする。
【０００９】
上記構成によれば、筐体内に、少なくとも主空間、下部空間及び隣接空間が設けられる。主空間には電離箱が収容される。望ましくは、電離箱は、放射線試料を収容する収容室を取り囲む円筒状の形態を有する。電離箱は一般に集電極及び容器電極を有し、それらの間には高電圧が印加される。電離箱内に放射線（例えばγ（Ｘ）線）が入射すると、その内部のガスが電離し、電子及びイオンが生じる。その内で、例えば電子が集電極により捕集されて、これにより集電極から外部へ電荷信号（電離信号）が出力される。
【００１０】
主空間又は電離箱の下側には下部空間が形成されている。下部空間は気密状態とされた密閉空間つまり気密空間である。その中には第１基板が配置される。第１基板は例えばエレクトロメータ回路を搭載した電子基板である。複数の基板が下部空間内に配置されてもよい。下部空間の高さは一般に小さく、下部空間は水平方向に広がった空間である。そこには一般に第１基板が水平姿勢をもって配置されるが、第１基板が他の姿勢をもって配置されてもよい。下部空間を気密空間とするためにそれを取り囲む複数の部材の相互接合箇所にパッキン等のシール部材が設けられるのが望ましい。
【００１１】
下部空間に隣接して隣接空間が設けられている。下部空間と隣接空間との間には隔壁が設けられる。その隔壁は望ましくは筐体の一部をなし、それは下部空間の気密性を維持するための仕切りとして機能する。下部空間と隣接空間とが若干離れていてもよいが、望ましくは、それらの空間が隔壁一枚を介して隣接する。隣接空間は、下部空間の背面側（つまり奥側）に形成されるのが特に望ましいが、それを下部空間の右側、左側又は前側に形成することも考えられる。隣接空間は、通常、非密閉空間として構成される。隣接空間を取り囲む部材に放熱等のための空気孔やスリットを設けてもよい。隣接空間内には望ましくは第２基板が垂直姿勢でつまり起立姿勢で配置されるが、それが他の姿勢で配置されてもよい。第２基板に加えて他の１又は複数の基板が隣接空間内に配置されてもよい。
【００１２】
以上の構成によれば、基板群（あるいは電子部品群）の配置のために、下部空間の他、拡張空間である隣接空間を利用することができるので、基板群配置のために十分なスペースを確保可能である。しかも、下部空間の高さの増大を回避でき、同時にその容積の増大を回避できるから、その気密性を良好にできる。複数の回路には、気密空間内に設置すべき回路と、そこまで必要とされない回路と、があり、そのような回路種別に応じて下部空間と隣接空間とを使い分けるようにするのが望ましい。
【００１３】
上記の放射線測定装置は、望ましくは、放射線試料（サンプル）の放射能を測定する装置である。放射性試料は、生体に注入、投与される液体であってもよい。試料収容室には放射性試料を収容したバイアル又は注射器を保持する治具が設けられるのが望ましい。第１基板上には、例えば、微弱信号を処理する積分型又はリニア型のエレクトロメータ回路が搭載される。第２基板上には、例えば、電源（電離箱用の高電圧源）、カウント回路、通信回路、リレー制御回路、等が設けられてもよい。電離箱を有するユニットと、そこからの信号を処理する本体とで放射線測定装置が構成されてもよい。
【００１４】
望ましくは、前記下部空間は、第１水平方向及び第２水平方向に広がった空間であり、その中に前記第１基板が水平姿勢で配置され、前記隣接空間は、前記第１水平方向及び垂直方向に広がった空間であり、その中に前記第２基板が垂直姿勢で配置される。この構成によれば下部空間の高さを抑えることが可能であり、また隣接空間の幅（基板面に直交する方向の幅）を抑えることが可能であり、あるいは、水平方向の設置スペースの増大を抑制できる。
【００１５】
望ましくは、前記第１水平方向は前後方向であり、前記第２水平方向は左右方向であり、前記筐体はそれ全体として起立した円柱状の形態を有し、前記筐体はその下部かつ奥側に箱状の肥大部分を有し、前記肥大部分の中に前記隣接空間が設けられている。筐体の背面側に、具体的には円柱部分の背面側に、箱状に肥大した肥大部分（隣接空間を有する部分）を形成すれば、設置面積を小さくしつつ、複数の基板を収容、配置できる。
【００１６】
望ましくは、前記筐体は、前記下部空間の底面を塞ぐ取り外し可能な底面板と、前記隣接空間の背面を塞ぐ取り外し可能な背面板と、を有する。この構成によれば、所望の空間へ個別的に容易にアクセスできる。
【００１７】
望ましくは、前記第１基板と前記第２基板との間には複数の信号線が設けられ、前記隔壁には前記下部空間の気密性を維持しつつ前記複数の信号線を挿通するシール構造が設けられる。この構成によれば複数の信号線の挿通部分においてシール性つまり気密性を高められる。
【００１８】
望ましくは、前記シール構造は、前記隣接空間側に開いたネジ穴と、前記ネジ穴の中に配置される環状のシール部材と、前記ネジ穴に螺合するネジと、を有し、前記ネジの前進状態で前記シール部材がその中を通過している前記複数の信号線を締め付けるように潰れた状態となる、
【発明の効果】
【００１９】
本発明によれば、電離箱の下側に設けられる空間の気密性を確保しつつ、電離箱の下側及びその下側周辺に必要な基板配置スペースを確保できる。あるいは、複数の基板の配置後において個々の基板へのアクセスが容易な基板配置を実現できる。
【図面の簡単な説明】
【００２０】
【図１】本発明に係る放射線測定装置としての放射能測定装置（キュリーメータ）の好適な実施形態を示す斜視図である。
【図２】放射能測定装置の電気的な構成を示すブロック図である。
【図３】検出ユニットの正面図である。
【図４】検出ユニットを斜め上方から見た様子を示す斜視図である。
【図５】検出ユニットを斜め下方から見た様子を示す斜視図である。
【図６】Ａ−Ａ線断面図を示す図である。
【図７】筐体の下部を斜め上方から見た様子を示す斜視図である。
【図８】筐体の下部を斜め下方から見た様子を示す斜視図である。
【図９】筐体の下部の骨格構造を示す図である。
【図１０】隔壁に設けられたシール構造の一例を示す図である。
【発明を実施するための形態】
【００２１】
以下、本発明の好適な実施形態を図面に基づいて説明する。
【００２２】
図１には、放射線（放射能）測定装置としてのキュリーメータが示されている。この装置は、例えば、生体に対して投与されるトレーサとしての放射性薬剤について放射能を測定する装置である。その他の試料が測定対象となってもよい。キュリーメータは、本実施形態において、検出ユニット１０と、本体ユニット１２と、により構成される。それらは通信用のケーブルによって相互に接続されている。
【００２３】
検出ユニット１０は、起立した筒状の形態を有する筒状部１４を有する。筒状部１４の下部１６は一定の径方向の厚みをもって径方向に膨らんでいる。また、筒状部１４の背面側（奥側）には肥大部１８が設けられている。肥大部１８は、左右方向及び上下方向に肥大した箱状の形態を有している。肥大部１８は前後方向に一定の厚みを有する。検出ユニット１０の中心軸に沿って試料収容部が形成されており、図１においては試料収容部の中にホルダ１９が収容されている。その内部は試料収容孔１８Ａである。ホルダ１９は樹脂等によって構成され、それは、筒状の部分と、その上端縁から水平方向に張り出した鍔状部分と、からなる。前者の筒状の部分が試料収容部に挿入されている。筒状部１４内には井戸型電離箱が収容されている。
【００２４】
本体ユニット１２は、演算部及び表示部として機能する。その内部にはプロセッサを搭載した基板が収容されている。本体ユニット１２はタッチパネル付き液晶表示器２２が設けられている。それは表示器及び入力器として機能する。本体ユニット１２はスタンド２０によって支持されている。本体ユニット１２の傾斜角度を切り換え可能に構成されている。本体ユニット１２を壁に掛けて使用することも可能である。本体ユニット１２と検出ユニット１０との間が無線通信方式で接続されてもよい。
【００２５】
図２には本実施形態に係るキュリーメータの電気的な構成がブロック図として示されている。検出ユニット１０は、３つの空間、つまり、主空間２４、下部空間２６及び隣接空間２８を有している。主空間２４の中には電離箱３０が配置される。電離箱３０は、集電極３２と容器電極３４とからなり、それらの間には例えば数百Ｖの高電圧が印加される。電離箱３０の中心軸に沿って試料収容孔１８Ａが形成されており、図２に示す例では、そこにサンプル３６が配置されている。そこから出た放射線（γ線）が電離箱３０の内部の気体を電離させ、これにより生じた電子とイオンの内の一方が集電極３２で捕集され、これにより電荷信号（電離信号）が生じる。その電荷信号は信号経路３８を介してエレクトロメータ回路４２へ送られる。
【００２６】
下部空間２６は、主空間の直下位置に設けられた空間であり、気密空間である。下部空間２６内にはエレクトロメータ回路４２を搭載した第１基板４０が配置されている。エレクトロメータ回路は本実施形態では積分型エレクトロメータ回路であり、それは電荷を蓄積するコンデンサ、コンデンサにチャージされた電荷を開放するリレー、等を有する。動作条件を変更するために別のリレー等の電子部品が設けられてもよい。本実施形態では、コンデンサの電圧と閾値とを比較するコンパレータが設けられており、コンデンサの電圧が閾値よりも大きくなった時点から、その信号レベルが低から高へ切り替わる。チャージ開始からレベル変動までに要する時間の計測によって電荷量が求まり、そこから放射能（放射能量）が逆算される。第１基板４０上にはコンパレータまでの電子回路が搭載されている。コンパレータの出力信号が信号経路４４を介して電子回路５０へ送られている。下部空間２６内における、第１基板を経由して、あるいは、それとは別のルートを経由して、高電圧が電離箱３０へ印加される。他のタイプのエレクトロメータ回路を利用することも考えられる。
【００２７】
下部空間には高電圧が印加されている電子や配線が存在し、また、微弱信号を処理する回路が存在しているから、下部空間は気密空間として構成される。つまり、湿気が下部空間に自由に入り込まないように構成されており、また、下部空間内で結露が生じ難いように構成されている。これに関しては後に更に詳しく説明する。
【００２８】
隣接空間２８は下部空間の奥側に形成された拡張空間であり、その形成によって基板配置スペースの増大が図られている。隣接空間２８は本実施形態では非密閉空間である。それは通常の基板収容空間である。放熱その他の理由から隣接空間に連通する空冷用の複数の開口が設けられてもよい。その内部には第２基板４６が配置されている。第２基板は、電離箱３０用の電源（高電圧源）４８と、電子回路５０と、を有する。電子回路５０には、放射能量を示す信号を生成する回路（カウンタ等）、本体ユニット１２との間で通信を行うための回路、等が搭載されている。また、本実施形態においては、１又は複数のリレーの動作を制御するコントローラ回路も搭載されている。本体ユニット１２から供給される電力によって検出ユニット１０内の各構成が動作する。
【００２９】
本体ユニット１２内にはマイコン等によって構成される演算制御部５４が設けられており、また、タッチスクリーンパネル付き液晶表示器２２が設けられている。その表示器２２には測定結果や操作画面が表示される。演算制御部５４によってカウント値から放射能量が演算される。操作画面を利用して測定核種がユーザーによって指定される。
【００３０】
図３には、検出ユニット１０の正面が示されている。Ｘ方向が第１水平方向つまり左右方向であり、Ｚ方向が垂直方向つまり上下方向である。Ｘ方向とＺ方向に直交する方向がＹ方向であり、それは第２水平方向つまり奥行方向（前後方向）である。図３に示すＡ−Ａ線の断面を後に図６に示す。検出ユニット１０は、下部１６を有し、その背面側つまり奥側には肥大部１８が設けられている。
【００３１】
図４は検出ユニット１０を上方から見た様子を示す斜視図である。検出ユニット１０の内部には、主空間２４と下部空間２６とに加えて、隣接空間２８が設けられている。隣接空間２８は肥大部１８の内部空間であり、その背面側開口は背面板５８によって覆われている。肥大部１８は筒状部１４からその背面側に突出した部分である。それは左右方向及び上下方向に肥大しており、箱状の形態を有している。それは奥行き方向に一定の厚さを有している。肥大部１８における背面フレーム６０には４つのねじによって背面板５８が取り付けられている。コネクタ５６にはケーブル側のコネクタが接続される。背面板５８には放熱用のスリット列５９が形成されている。
【００３２】
図５は検出ユニットを下方から見た様子を示す斜視図である。下部１６の下部フレーム６４内には下部空間が形成されており、それは底面板６２が取り付けられている。底面板６２は下部フレーム６４の開口縁に対して気密性をもって着脱可能に接合される。
【００３３】
図６には検出ユニットの縦断面が示されている。筒状部１４において、最も外側の部材は筒状の形態を有するケース７０であり、それは例えばアルミニウム材料によって構成される。ケース７０の中が主空間２４であり、そこには電離箱３０が配置されている。電離箱３０は集電極３２と容器電極３４とを有する。容器電極３４は筒状の形態を有し、容器電極３４とケース７０との間には円筒状の絶縁材７２が配置されている。底板６８は容器電極３４の一部をなすものである。電離箱３０の内部６６には電離用ガスとして不活性ガスが封入されている。電離箱３０の中心軸に沿って井戸状の試料収容部が形成され、そこにはホルダ１９が設けられている。ホルダ１９の内部は試料収容孔１８Ａである。集電極３２の下部には電極構造体７４が設けられている。それは集電極３２へ接続された引出電極、容器電極３４に接続された引出電極、それらの間の絶縁する部材、等からなる（図６においては電極構造体７４が簡略的に図示されている）。
【００３４】
ケース７０の下端部は下部フレーム６４の内部に挿入されている。下部フレーム６４内には下部空間２６が設けられている。下部空間２６は主空間２４の直下つまり電離箱３０の直下に位置する。それは密閉空間であり、つまり自然には外部エアが進入できない気密空間である。このため部材間の接合部分にはシール部材が配置されている。下部フレーム６４は下向きの開口部を有し、その開口部は底面板６２によって覆われている。底面板６２は着脱可能であり、底面板６２と下部フレーム６４の開口縁との間には環状又は円形のシール部材７６が設けられている。
【００３５】
下部空間２６内には第１基板４０が水平姿勢をもって配置されている。それは上述したようにエレクトロメータ回路等を搭載した基板である。第１基板４０に対しては電極構造体７４が電気的に接続されている。すなわち、集電極３２からの電荷信号が第１基板４０上のエレクトロメータ回路へ送られている。電離箱３０に対して第１基板４０を経由して電源電圧が供給されてもよいし、電離箱３０に対して第１基板４０を経由しない別の系統（例えばケーブル）を介して電源電圧が供給されてもよい。本実施形態では、下部空間２６に１枚の基板が配置されているが、そこに複数の基板が配置されてもよい。本実施形態の構成によれば、底面板６２を取り外すと、第１基板４０の裏面全体が露出することになるから、第１基板４０へのアクセスが良好であり、作業性を高められる。
【００３６】
下部フレーム６４に連なって、その奥側に背面フレーム６０が設けられている。下部フレーム６４と背面フレーム６０は一体化されており、下部筐体を構成している。下部筐体はケース７０同様にアルミニウム材料等によって構成される。ケース７０は上部筐体を構成している。下部筐体と上部筐体とにより、検出ユニットの筐体全体が構成される。
【００３７】
背面フレーム６０は箱状の形態を有し、つまり、前後方向であるＹ方向に一定の厚みを有しつつ、左右方向であるＸ方向と上下方向であるＺ方向とに広がった形態を有する。その内部には、箱状の形態を有する隣接空間２８が設けられている。隣接空間２８を背面空間と称することも可能である。背面フレーム６０と下部フレーム６４は、隔壁６０Ａを共有し、あるいは、隔壁６０Ａによって相互に連結されている。隔壁６０Ａは、下部空間２６の気密性を担保するための仕切りであり、換言すれば、下部空間２６と隣接空間２８との間の仕切りである。
【００３８】
隣接空間２８内には、垂直姿勢つまり起立姿勢をもって第２基板４６が配置されている。第２基板４６上には上記のとおり電源、信号処理回路、コントロール回路、通信回路と等が設けられる。本実施形態では、隣接空間２８内に１枚の基板が配置されているが、そこに複数の基板は配置されてもよい。隣接空間２８内には必要に応じて様々な基板を配置し得る。背面フレーム６０は背面側を向いた開口を有し、そこには背面板５８が取り付けられる。背面板を外した状態では第２基板４６へのアクセスが容易である。よって、作業性を向上できる。第２基板４６を水平姿勢で配置する場合、筒状部１４の奥側に比較的に大きな設置スペースを要することになるが、本実施形態では、第２基板４６が垂直姿勢で配置されており、そのような姿勢での第２基板４６を収容できるように背面フレーム６０が構成されているから、筒状部１４の奥側における設置面積増大分を抑制可能である。肥大部分が筒状部の奥側に位置するので、検出ユニットをその前側から観察した場合に、肥大部分が目障りとならず、見栄えがよいという利点も得られる。
【００３９】
隔壁６０Ａにおける下部中央にはシール構造７８が設けられている。シール構造７８は、複数の信号線を挿通させる構造物であり、その挿通に際して気密性を維持するものである。図６においては図面簡略化のために複数の信号線やシール構造７８の詳細については図示省略されている。これについては後に図１０を用いて詳述する。
【００４０】
図８は、下部筐体（下部フレーム６４、背面フレーム６０）を下から見た様子を示す斜視図である。底面板と背面板とが取り除かれており、下部空間２６と隣接空間２８とを同時に観察可能である。図９には下部筐体の縦断面が示されている。下部フレーム６４の一部として底壁８０が存在する、下部フレーム６４と背面フレーム６０は隔壁６０Ａを介して連結されている。隔壁６０Ａには上記のシール構造７８が設けられている。
【００４１】
図１０には、シール構造７８の断面が示されている。隔壁６０Ａにはねじ穴８６が形成されている。それは隣接空間側に開いた穴である。ねじ穴８６の中にはＯリング９０が配置され、また、ねじ８８が配置される。ねじ穴８６とねじ８８との螺合によってＯリング９０が締め付けられて、それが潰れ変形する。Ｏリング９０の中にはケーブル群９２が通されている。それは複数のケーブルの束である。その内で、シール構造７８を通過する部分に熱収縮チューブ９４による被覆が施されている。Ｏリング９０は熱収縮チューブ９４を介してケーブル群９２を保持する。つまり、Ｏリング９０はねじ８８の前進によって潰れ変形して、その内径が小さくなり、ケーブル群との間に隙間がないように、そこがシールされる。これによって、個々のケーブルを保護しつつ、挿通部分における気密性が担保される。図１０に示されるシール構造７８は一例であり、他の構成を採用することも可能である。作業性の観点から、ねじを隣接空間側において締め付け操作するようにした方がよい。必要に応じて複数のＯリング等のシール部材を配置することが可能である。
【００４２】
上記実施形態によれば、検出ユニットの筐体内に、主空間及び下部空間の他、拡張空間としての隣接空間が設けられる。その隣接空間を基板配置用の空間として利用することが可能である。これによって、検出ユニットの高さの増大を回避しつつ、また下部空間の気密性を維持しつつ、基板収容スペースの拡大を図れる。
【符号の説明】
【００４３】
１０  検出ユニット、１２  本体ユニット、１４  筒状部、１６  下部、１８  肥大部、２４  主空間、２６  下部空間、２８  隣接空間（背面空間）、３０  電離箱、４０  第１基板、４６  第２基板、６０Ａ  隔壁、７８  シール構造。
【図１】
0006557163.tif 000002
【図２】
0006557163.tif 000003
【図３】
0006557163.tif 000004
【図４】
0006557163.tif 000005
【図５】
0006557163.tif 000006
【図６】
0006557163.tif 000007
【図７】
0006557163.tif 000008
【図８】
0006557163.tif 000009
【図９】
0006557163.tif 000010
【図１０】
0006557163.tif 000011